(57)【要約】      （修正有）【課題】財布に入れたり、キーホルダー等にストラップや紐で結んで使うアロマ・サクション・ボードを提供する。【解決手段】財布やキーホルダー等人が常時携行するものに入れたり結びつけたりするアロマ・サクション・ボードにおいて、人の所望する模様、絵文字、文字、漢字を刻印し、かつ、上記アロマ・サクション・ボードの表面に芳香剤を塗布した。  【選択図】図３
0003197121.tif 000002
【実用新案登録請求の範囲】
【請求項１】
財布やキーホルダー等人が常時携行するものに入れたり結びつけたりするアロマ・サクション・ボードにおいて、人の所望する模様、絵文字、文字、漢字を刻印し、かつ、上記アロマ・サクション・ボードの表面に芳香剤を塗布したことを特徴とするアロマ・サクション・ボード。
【請求項２】
上記芳香剤を上記刻印の溝の凹部に塗布したことを特徴とする請求項１に記載のアロマ・サクション・ボード。
【請求項３】
上記芳香剤をゼラチン質に混合し、上記刻印の溝の凹部に塗布したことを特徴とする請求項１〜２のいずれかに記載のアロマ・サクション・ボード。
【請求項４】
上記溝の凹部の底面には、凹凸が設けられていることを特徴とする請求項１〜３に記載のアロマ・サクション・ボード。
【請求項５】
上記アロマ・サクション・ボードの材質を、けやき、桜、ツゲ、樫、楠木、黒檀、紫檀、白壇、マホガニー、チーク、鉄刀木のいずれかを用いたことを特徴とする請求項１〜４のいずれかに記載のアロマ・サクション・ボード。
【請求項６】
上記刻印をレーザにより加工することを特徴とする請求項１〜５のいずれかに記載のアロマ・サクション・ボード。
【請求項７】
上記刻印の溝の深さを０．２ｍｍ以上とすることを特徴とする請求項１〜６のいずれかに記載のアロマ・サクション・ボード。
【請求項８】
上記芳香の材料として、イランイラン、サンダルウッド、スイートオレンジ、ゼラニウム、ペパーミント、ベルガモット、ユーカリ、ラベンダー、レモン、レモングラス、ローズ、ローズマリー、ローマンカモミール、グレープフルーツ、シダーウッド、シナモン、ジャスミン、バジルのいずれか一つまたはそれらを混合したものであることを特徴とする請求項１〜７のいずれかに記載のアロマ・サクション・ボード。
【考案の詳細な説明】
【技術分野】
【０００１】
本考案は、各種健康志向や快適生活の維持のために、健康や快適生活のシンボルとなる模様や文字を書いて、常時肌身離さぬように、財布に入れたり、キーホルダー等にストラップや紐で結んで使うアロマ・サクション・ボードに関するものである。
【背景技術】
【０００２】
近年、生活水準の高度化に伴って、「香り」を生活の中に取り入れる事が多くなってきた。部屋の中をすがすがしい雰囲気にしたり、浴場の水に香りをつけ、ゆったりとした気分にさせたり、トイレットペーパーや石けんにも香り成分が付加されている。アロマセラピーの世界の出現である。
ここでこのアロマの中に花粉症や高血圧等の医療分野に効果のある成分を含むものがある。このアロマエッセンシャルオイルを周囲の目を気にすることなく吸引することができればすばらしいことである。
又、このボード（木片）はアロマ吸引に活用しない時には、キーホルダー、財布の目印に使えるのである。
【０００３】
特許文献１には、ヒバやヒノキ、スギ等の天然木材の持つ優れた樹木成分である芳香や薬効を放散させ、開封するまで樹木成分をそのままの形で閉じ込めることができ、更に浴用剤や消臭剤等にも活用できるよう構成させた芳香放散具を提供することを目的として、
多数の通気孔を形成させた各種形状の容器内に、天然木材を破砕或いは切削して得られる芳香体を収容し、木材から放散される芳香や薬効成分を有効活用できるよう構成させた芳香放散具の点が記載されている。
【０００４】
また、特許文献２には、眼鏡を鼻に保持する機能に加えて、鼻側に、気持ちよく、かつ健康な香を与える芳香性を付加した芳香剤を有する眼鏡鼻当て構造を提供することを目的として、眼鏡を保持するための鼻当てであって、該鼻当ては、内部に空間部を有し眼鏡の保持枠に連結する支持脚を固定する鼻当て本体と、これに開閉自在に連結され前記鼻当て本体と近似する輪郭形状を有し鼻側に当接する当接面を有する鼻当て蓋体と、前記鼻当て本体の前記空間部内に収納される芳香剤とを有し、前記鼻当て本体及び前記鼻当て蓋体には前記空間部に連通する小孔が形成されることを特徴とする芳香剤を有する眼鏡鼻当て構造の点が記載されている。
【０００５】
さらに又、特許文献３には、睡眠や横たわった姿勢で休息する場合に使用される枕は、其の使い勝手が重要な要素であることから、健康枕・安眠枕などとして形状や機能に関する様々な提案がなされているが、例えば木材の香り効果を利用する場合その効果の持続性に問題があり、また特殊な材料を特殊な加工を施して使用する物では、供給量やコストの面で問題がある。本件は、木の香りを応用する枕の素材として、間伐材として豊富に存在する杉や檜などの芳香性木材をチップ化したものを用いることにより安価な枕素材が得られ、香りが薄れた場合に容易に交換または使い捨てが出来る点が記載されている。
【先行技術文献】
【特許文献】
【０００６】
【特許文献１】特開２０１３−２２６３６０号公報
【特許文献２】特開２００５−９１８５１号公報
【特許文献３】特開２００７−１０５４２７号公報
【考案の概要】
【考案が解決しようとする課題】
【０００７】
最近は健康志向の人々が多く、健康志向の器具やサプリメントの販売が盛んである。特に健康や快適生活をめざす人にとっては、健康補助食品の摂取や、散歩等の気分転換などのほかに、アロマや芳香の雰囲気に浸ることも、重要な健康維持方法の一つである。
【０００８】
そこで、本考案者は、鋭意検討の結果、アロマ・サクション・ボードとして財布にいれたり、キーホルダーとしてストラップでキーと結んでおく方法を新規にこの度考案した。
上記のアロマ・サクション・ボードには、例えば、主に健康や快適生活の関する模様や、文字を、平らな比較的小さい木の平板に刻印し、刻印した箇所にアロマ、即ち芳香を発する液体を塗布し、又は芳香を発する液体を含浸させたジェルを塗布したものである。
【０００９】
アロマ・サクション・ボードは、基材を木材で構成されており、レーザ加工により、健康や快適生活に関する模様、絵文字、単なる文字、漢字を刻印することにより、長期間使用する時も、長持ちし、また、塗布した芳香剤も、長時間芳香を出し続ける。
【００１０】
使用者は、時折、又は財布を開けたときや、キーを使うとき、このアロマ・サクション・ボードをみて、アロマの雰囲気に浸り、又は芳香を嗅ぐことにより、又は刻印された模様、絵文字、文字、漢字を見ることにより、勇気や希望が湧いてくるようになる。
【００１１】
本願のアロマ・サクション・ボードの材質には、ケヤキ、桜、ツゲ、樫、楠木、黒檀、紫檀、白壇、マホガニー、チーク、鉄刀木等のレーザ刻印の溝が磨耗しない材料が望ましいが、高級な素材として、黒檀、紫檀を用いるのが望ましい。
【課題を解決するための手段】
【００１２】
本考案は、財布やキーホルダー等人が常時携行するものに入れたり結びつけたりするアロマ・サクション・ボードにおいて、人の所望する模様、絵文字、文字、漢字を刻印し、かつ、上記アロマ・サクション・ボードの表面に芳香剤を塗布したアロマ・サクション・ボードを提供する事である。
また、本考案は、上記芳香剤を上記刻印の溝の凹部に塗布したアロマ・サクション・ボードである。
そして、本考案は、上記芳香剤をゼラチン質に混合し、上記刻印の溝の凹部に塗布したアロマ・サクション・ボードである。
さらに、本考案は、上記溝の凹部の底面には、凹凸が設けられているアロマ・サクション・ボードである。
さらに又、本考案は、上記アロマ・サクション・ボードの材質を、けやき、桜、ツゲ、樫、楠木、黒檀、紫檀、白壇、マホガニー、チーク、鉄刀木のいずれかを用いたアロマ・サクション・ボードである。
そして、本考案は、上記刻印をレーザにより加工したアロマ・サクション・ボードである。
そして又、本考案は、上記刻印の溝の深さを０．２ｍｍ以上とするアロマ・サクション・ボードである。
そしてさらに、本考案は、上記芳香の材料として、イランイラン、サンダルウッド、スイートオレンジ、ゼラニウム、ペパーミント、ベルガモット、ユーカリ、ラベンダー、レモン、レモングラス、ローズ、ローズマリー、ローマンカモミール、グレープフルーツ、シダーウッド、シナモン、ジャスミン、バジルのいずれか一つまたはそれらを混合したものであるアロマ・サクション・ボードである。
【考案の効果】
【００１３】
本考案のアロマ・サクション・ボードによれば、財布とかキーホルダーを取り出すことにより、ついアロマ・サクション・ボードをみて、模様、絵文字、文字、漢字の意味を想起することにより、人を和ませる視覚効果がある。また、エッセンシャルオイルの効果として、人をリラックスさせ、緊張や不安から解放する鎮静作用、セキやのどの痛みを和らげる抗炎症作用がある。そして、本考案によれば、上記の文字を溝状に刻印して彫っているので、溝にエッセンシャルオイルが付着し、手で触ってもなかなか取れず、芳香作用が４〜５時間にわたって続き、より価値を高いものにしている。
また、芳香によっては、フェロモンを混入してもよく、フェロモンを混入したものにおいては、女性は恋愛感情を高める作用があり、この木札によりより人の和とか人の絆を高める効果がある。
【図面の簡単な説明】
【００１４】
【図１】図１は、本考案の平面図である。
【図２】図２は、本考案の中央付近の平面図である。
【図３】図３は、本考案のイラスト付きの模様を示し平面図である。
【図４】図ｔは、本考案の一実施例を示す溝に凹凸を刻印した図である。
【考案を実施するための形態】
【実施例】
【００１５】
図１は、本考案の平面図である。１はアロマ・サクション・ボード本体を示している。アロマ・サクション・ボードの上部にはストラップ等が取り付けられるように、直径２ｍｍ程度の小孔が設けられている。この小孔は、財布用のものであれば、設けなくてもよい。
【００１６】
アロマ・サクション・ボードの大きさは、持ち運びできるものであれば、どのような大きさであってもよいが、好ましくは、縦の長さが、３０〜６０ｍｍ程度がよく、より好ましくは、４０〜５０ｍｍがよい。また、幅は、１０〜３０ｍｍ程度がよく、より好ましくは、１５〜２５ｍｍが好ましい。
【００１７】
図２は、１は、本願考案の本体を横から見たもので、文字の刻印３が彫られている。本体の厚さは、１〜１０ｍｍ程度が好ましく、より好ましくは２〜５ｍｍのものが好ましい。
刻印の深さは、深いほど好ましいが、深いほど芳香剤が進入し、より好ましいが、０．１ｍｍ以下の浅い彫りでは、手などで触った場合すぐに芳香剤が取れてしまい、適切ではなく、貫通してしまうと、芳香剤が貯留しないので、０．２ｍｍ以上深いほど好ましい。
黒檀等硬い材料では、刻印時間がかかるので、経済上０．３ｍｍ程度のものがより好ましい。
【００１８】
図３は、本考案のボードに模様、絵模様、文字、漢字を記載した実施例の一態様を示す。
模様は、どのようなものでもよく、干支や、風景、キャラクタ、動物などでもよい。
模様と文字を組み合わせたものでもよい。
【００１９】
図４は、ボードに刻印された溝の詳細図である。溝３には、エッセンシャルオイルを塗布しオイルが容易に飛散しないように、溝の内部に凹凸４が設けられている。この凹凸は、ピラミッド状、歯ブラシ状、きのこ状等、いろいろ考えられるが、製造上から、ピラミッド状のものが好ましい。
【００２０】
アロマ・サクション・ボードの材料は、木材であればどのようなものでも適用できるが、松や杉は、安価で手に入りやすいが、長く大事に持つには、余り価値がなく、そうかといって、アクリル樹脂等の合成樹脂では、長持ちするものの価値が低い。
【００２１】
さらに、金、銀、プラチナの類の貴金属類では、重いし、芳香剤が長く貯留しないし、かつ、盗まれる可能性が高い。したがって、名称のとおり木材が好ましいが、長くもつ、尊崇の念を持って大切にしなければならない、といった観点から、ツゲ、黒檀、紫檀等高級材が特に好ましい。
【００２２】
芳香を放つエッセンシャルオイルは、どのようなものでもよいが、イランイラン、サンダルウッド、スイートオレンジ、ゼラニウム、ペパーミント、ベルガモット、ユーカリ、ラベンダー、レモン、レモングラス、ローズ、ローズマリー、ローマンカモミール、グレープフルーツ、シダーウッド、シナモン、ジャスミン、バジルなどが、一般的に広く知られているので、好ましい。また、これらを好みに合わせ、組み合わせたものであってもいいことはいうまでもない。
【００２３】
長く香りを持たせるためにこれらのエッセンシャルオイルをワックス状のグリセリン等のゼラチン質に混合させ、刻印した溝を蟻溝状（逆八状）にして溝内の壁に塗りつけ、芳香剤を貯留するようにするのが好ましい。
【産業上の利用可能性】
【００２４】
日常常日頃から持ち歩く財布やキーに、付属品として入れられ、または取り付けられるアロマ・サクション・ボードに、人が和んでリラックスする刻印した文字とともに芳香を発する溝を施して、これらを製造しこれらを販売することで、社会をよりよく発展することに寄与する。
【符号の説明】
【００２５】
１・・・アロマ・サクション・ボード本体
２・・・刻印した健康や快適生活に関する模様、絵文字、文字、漢字
３・・・刻印した模様、絵文字、文字、漢字の溝
４・・・ボードの溝内に刻印した凹凸
【図１】
0003197121.tif 000003
【図２】
0003197121.tif 000004
【図３】
0003197121.tif 000005
【図４】
0003197121.tif 000006
【手続補正書】
【提出日】平成27年2月18日(2015.2.18)
【手続補正１】
【補正対象書類名】実用新案登録請求の範囲
【補正対象項目名】全文
【補正方法】変更
【補正の内容】
【実用新案登録請求の範囲】
【請求項１】
財布やキーホルダー等人が常時携行するものに入れたり結びつけたりするアロマ・サクション・ボードにおいて、人の所望する模様、絵文字、文字、漢字の一つ又は上記のいずれかの組み合わせを刻印し、かつ、上記アロマ・サクション・ボードの表面に刻印した上記刻印の溝の凹部に芳香剤を塗布したことを特徴とするアロマ・サクション・ボード。
【請求項２】
上記芳香剤をゼラチン質に混合し、上記刻印の溝の凹部に塗布したことを特徴とする請求項１に記載のアロマ・サクション・ボード。
【請求項３】
上記溝の凹部の底面には、凹凸が設けられていることを特徴とする請求項１〜２のいづれかに記載のアロマ・サクション・ボード。
【請求項４】
上記アロマ・サクション・ボードの材質を、けやき、桜、ツゲ、樫、楠木、黒檀、紫檀、白壇、マホガニー、チーク、鉄刀木のいずれかを用いたことを特徴とする請求項１〜３のいずれかに記載のアロマ・サクション・ボード。
【請求項５】
上記刻印をレーザにより加工することを特徴とする請求項１〜４のいずれかに記載のアロマ・サクション・ボード。
【請求項６】
上記刻印の溝の深さを０．２ｍｍ以上とすることを特徴とする請求項１〜５のいずれかに記載のアロマ・サクション・ボード。
【請求項７】
上記芳香剤の材料として、イランイラン、サンダルウッド、スイートオレンジ、ゼラニウム、ペパーミント、ベルガモット、ユーカリ、ラベンダー、レモン、レモングラス、ローズ、ローズマリー、ローマンカモミール、グレープフルーツ、シダーウッド、シナモン、ジャスミン、バジルのいずれか一つまたはそれらを混合したものであることを特徴とする請求項１〜６のいずれかに記載のアロマ・サクション・ボード。